(57)【特許請求の範囲】
【請求項１】
ＰＣＭデータを伝送するビットストリーム中の非圧縮ＰＣＭオーディオデータとＤＴＳ方式の圧縮ＰＣＭオーディオデータとを自動的に判別して信号処理回路で信号処理し、該信号処理により得られた再生オーディオ信号を出力するオーディオ再生装置において、
前記ビットストリームのビットパターンを判定するビットパターン判定器と前記再生オーディオ信号をミュートするミュート回路とを備え、再生開始時は前記ミュート回路を作動させ、前記ビットパターン判定器が所定時間内に前記ビットストリームからＤＴＳ同期信号及び該ＤＴＳ同期信号の直後のＤＴＳヘッダ信号を検出した場合は、前記信号処理の再生モードをＤＴＳモードにして前記ミュート回路のミュートを解除し、前記所定時間内に前記ビットストリームからＤＴＳ同期信号及びＤＴＳヘッダ信号を検出しなかった場合は、前記信号処理の再生モードをＰＣＭモードにして前記ミュート回路のミュートを解除することを特徴とするオーディオ信号再生装置。
【請求項２】
請求項１記載のオーディオ信号再生装置において、前記ビットストリームは記録媒体から読み出し中のデータであり、再生モードをＰＣＭモードにして記録媒体から再生中に、前記ビットパターン判定器でＤＴＳ同期信号及びＤＴＳヘッダ信号を検出した時に、前記ミュート回路を作動させ、再生モードをＤＴＳモードへ切替えてから、前記ミュート回路のミュートを解除することを特徴とするオーディオ信号再生装置。
【請求項３】
請求項１又は２記載のオーディオ信号再生装置において、前記ビットパターン判定器では、前記所定時間内のビットストリームに所定のビットパターンが含まれているか否かによりＤＴＳ同期信号とＤＴＳヘッダの有無を判定することを特徴とするオーディオ信号再生装置。
【請求項４】
請求項１乃至請求項３のいずれかに記載のオーディオ信号再生装置において、前記ビットパターン判定器は、前記所定時間内にＤＴＳ同期信号とＤＴＳヘッダの内の一方のみを検出した場合に、前記所定時間内でＤＴＳ同期信号とＤＴＳヘッダの有無を再度判定することを特徴とするオーディオ信号再生装置。
【発明の詳細な説明】
【０００１】
【発明の属する技術分野】
本発明は、ＰＣＭデータを伝送するビットストリーム中の非圧縮ＰＣＭオーディオデータとＤＴＳ方式の圧縮ＰＣＭオーディオデータとを自動的に判別して、再生モードをＰＣＭモード又はＤＴＳモードへ切替えて再生できるオーディオ信号再生装置に関する。
【０００２】
【従来の技術】
音楽用のコンパクトディスク（以下コンパクトディスクをＣＤとも記す）の規格は、所謂レッドブックとして１９８１年に制定され、その後、前記ＣＤの応用として、ＰＣＭオーディオ信号に画像信号を加えてＣＤに記録するものなど多くの規格が制定されている。ＤＴＳ（Digital Theater Systems）方式オーディオシステムはＰＣＭデータを用いる応用の一つであり、ディジタル・シアタ・システムズ社によって提案されたシステムであるが、前記ＣＤなどの記録媒体に記録される。
【０００３】
本明細書では、非圧縮ＰＣＭオーディオデータを、一般的なＰＣＭデータ、とも記す。一般的な音楽用ディジタルデータは非圧縮ＰＣＭオーディオデータとして２チャンネル分が記録媒体に記録されるのに対し、ＤＴＳ方式ではさらに多チャンネルのＰＣＭデータが圧縮ＰＣＭオーディオデータとして記録される。
前記レッドブックで規定された一般的な音楽ＣＤには、非圧縮ＰＣＭオーディオデータ（一般的なＰＣＭデータ）として２チャンネル分が記録されていて、ＣＤから読み出された一般的なディジタル音楽データは、ＥＦＭ復調や符号誤り訂正などを経て非圧縮の一般的なＰＣＭデータとして出力される。
【０００４】
ＤＴＳ方式オーディオシステムは、マルチチャンネルのオーディオ信号を圧縮して記録する方式であり、ＣＤに限らず、ＬＤシステムやＤＶＤシステムにも記録方式としても採用されている。ＣＤや、ＬＤに記録されているＤＴＳ信号は、ＤＴＳ方式の出現以前から存在する再生装置でのデータ読み出しを可能にするために、ＰＣＭデータとして記録されているが、データは符号化によりデータ量を圧縮した圧縮データである。
【０００５】
図６は一般的なＰＣＭオーディオ信号再生装置のブロック図を示す図である。図６（Ａ）は一般的なＰＣＭオーディオ信号再生装置２０の読取装置を示し、図６（Ｂ）は一般的なＰＣＭオーディオ信号再生装置２０の受信装置（レシーバ）を示す。前記読取装置とレシーバは通常は別々の筐体で製造され、前記読取装置の出力は光ケーブルなどを介してレシーバに与えられる。
読取装置は光ディスクなどの記録媒体からデータを読み出す光学ヘッド１１と、光学ヘッド１１の出力に対してＥＦＭ復調や誤り訂正処理などを行う第１信号処理回路１３と、ディジタル信号をディジタルオーディオインターフェースフォーマット（以下、ＤＡＩとも記す）に準拠した信号に変調して送信するＤＩＴ（ディジタルインターフェーストランスミッタ）１５とからなる。前記ディジタルインターフェーストランスミッタ（ＤＩＴ）１５は、ディジタルオーディオ信号をＥＩＡＪのディジタルオーディオインターフェース規格（ＤＡＩ）のＣＰ−３４０のＤＭＩ伝送符号に変換する回路である。
【０００６】
レシーバは、入力されたディジタル信号を受信して復調するＤＩＲ（ディジタルインターフェースレシーバ）１９と、ＤＩＲ１９から供給されたビットストリームに対してその信号方式に適合した復号処理などを行って複数チャンネルの復号オーディオ信号を出力する第２信号処理回路２１と、該第２信号処理回路２１の出力をＤＡＣ（Ｄ／Ａ変換器）２５に出力しないようにするためのｍｕｔｅ回路（ミュート回路）２３等で構成される。前記ＤＩＲ１９は入力された変調信号を復調してディジタルデータを第２信号処理回路２１とＭＰＵ２７とに与えると共に、クロック（ｃｌｏｃｋ）信号を生成してＭＰＵ２７に与える。
【０００７】
前記第２信号処理回路２１は、一般のＰＣＭ信号を処理するＰＣＭ用ＤＳＰ（ディジタル信号処理回路）とＤＴＳ信号を処理するＤＴＳ用ＤＳＰとを備える。前記ＰＣＭ用ＤＳＰとＤＴＳ用ＤＳＰの図示は省略されている。前記ＤＴＳ用ＤＳＰはＤＴＳ信号を復号してマルチチャンネルの再生オーディオ信号を出力するＤＴＳデコーダを構成する。また、前記ディジタルインターフェースレシーバ（ＤＩＲ）１９は、受信した伝送符号に対してＤＩＴと逆の信号処理を施し、ディジタルオーディオ信号を復調する回路であり、復調されたディジタルオーディオ信号は第２信号処理回路２１とＭＰＵ２７とに与えられる。
【０００８】
レシーバはさらにビットパターン判定器２９と、ＰＣＭオーディオ信号再生装置２０全体を制御するマイクロプロセッサ（ＭＰＵ）２７とを備える。ビットパターン判定器２９はＤＩＲ１９から出力されるビットストリームから特定のビットパターンを検出し、この結果に応じてＭＰＵ２７は再生モード信号を第２信号処理回路２１に与える。第２信号処理回路２１は前記再生モード信号に応じて、再生モードをＰＣＭモード又はＤＴＳモードにして信号処理をする。ＰＣＭオーディオ信号再生装置の操作者の操作に応じて再生を開始するときには、ｍｕｔｅ回路（ミュート回路）２３を作動させるためのｍｕｔｅ信号をＭＰＵ２７からｍｕｔｅ回路（ミュート回路）２３に対して与える。
【０００９】
第２信号処理回路２１に与えられた再生モードに応じて、ＤＡＣ（Ｄ／Ａ変換器）２５からは複数チャンネルの再生オーディオ信号が出力される。例えば再生モードがＰＣＭモードであれば、一般的な２チャンネルのオーディオ信号が出力され、ＤＴＳモードであれば例えば５チャンネルのサラウンドオーディオ信号が出力される。
【００１０】
【発明が解決しようとする課題】
ＰＣＭデータを伝送するビットストリームをどの方式で復号等の信号処理をして再生するか、を示す再生モード（リスニンクモード）には、ＰＣＭモード及びＤＴＳモードの他に、ＤＯＬＢＹ ＤＩＧＩＴＡＬモード、ＤＶＤモードもあるが、ここでは一般的なＰＣＭモードとＤＴＳモードがＤＩＲ１９に入力される場合について記載する。
前記再生モードを自動や手動で切替える場合、記録媒体から読み出されたＰＣＭデータ、或いは伝送路を介してＤＩＲ１９に入力されたＰＣＭデータの方式に適合しない再生モードへ切替えると、再生音はノイズ音となる。
【００１１】
このため、ＤＯＬＢＹ ＤＩＧＩＴＡＬの信号には、非オーディオのフラグが立っているので、瞬時にミュート回路２３でミュートをかけ、再生信号を出力しないようにすることができる。また、ＤＶＤでは、ＤＴＳの信号にも所定のフラグが存在するため、そのフラグの有無によりＤＶＤ装置から送出されたＰＣＭデータがＤＴＳのものか一般的なＰＣＭのものかを容易に識別できる。
しかしながら、ＣＤやＬＤでは、前記したようなフラグが存在しないため、再生装置により読み出したＰＣＭデータをＤＩＴ１５でＤＡＩ規格に準拠した信号に変調して送信し、ＤＩＲ１９で受信して復調し、ビットパターン判定器２９によりＤＴＳヘッダの有無を調べ、ＤＴＳのＰＣＭデータか否かを識別することになる。
【００１２】
前記ＤＩＲ１９から出力されたビットストリームにおいて、ＤＴＳヘッダ信号は、１０２４サンプルごとに入っており、その時間間隔は、サンプル周波数が４４．１ｋＨｚの場合、１０２４／４４１００で約２３．２２ｍｓｅｃとなる。ＰＣＭデータの中にはＤＴＳヘッダのビットパターンとして定められているビットパターンに類似した符号列が含まれるため、ＤＴＳヘッダを確実に検出するのは、ＤＴＳヘッダを連続して２回検出する必要があり、これには２４〜４８ｍｓｅｃの時間を要し、その間は、入力信号がＤＴＳのものか一般的なＰＣＭのものかが不明となる。また、不明の間は、第２信号処理回路の再生モードをＰＣＭモードとして待機するのが通常であるため、レシーバに入力されたＰＣＭデータがＤＴＳ信号であった場合には、再生モードがＤＴＳモードに切替わるまでの間、ノイズ音が出力されてしまうという問題があった。
【００１３】
さらに、一般的なＰＣＭデータとＤＴＳデータとが混在する記録媒体を再生する場合に対処するために、ＤＴＳヘッダ信号が途切れると、ＤＴＳモードからＰＣＭモードに切替わるようになっているので、一時停止やトラックスキップの場合にも、直後に再生を再開してＤＴＳ信号を受信したときにもノイズ音が発生してしまう。ＤＴＳヘッダ信号を一旦検出した後はＤＴＳモードに固定するようにすると、前記したような一般的なＰＣＭデータとＤＴＳデータとが混在する記録媒体を再生する場合に対処できない。
【００１４】
前記した問題を解決するために、従来のＰＣＭオーディオ信号再生装置では、ビットパターン判定器２９でＤＴＳヘッダを連続して２回検出するまでは、ＤＩＲ１９で受信したディジタル信号がどの方式の信号であるかが明確でないとして、ｍｕｔｅ回路（ミュート回路）２３を作動させ、第２信号処理回路２１の出力がＤＡＣ（Ｄ／Ａ変換器）２５から出力されないようにしていた。前記したように連続してＤＴＳヘッダを２回検出するまでは５０ｍｓｅｃ程度の時間が必要であるから、その間に受信したオーディオデータの再生信号はＤＡＣ（Ｄ／Ａ変換器）２５から出力されず、音切れが生じるという問題があった。また、この音切れの問題を軽減すべく、ＤＴＳヘッダの検出を１回にしたりしてミュートの作動時間を短縮すると、ＤＴＳヘッダの誤検出により、再生開始時やディジタル信号の方式が変更された場合などにノイズが発生し易くなるという問題があった。
【００１５】
本発明は前記問題点に鑑みてなされたものであり、その目的は、一般のＰＣＭオーディオ信号とＤＴＳ信号とを再生可能なオーディオ信号再生装置で、再生開始時やディジタルオーディオ信号の方式変更時等において、音切れの時間を短縮し、ノイズが生じ難くしたオーディオ信号再生装置を提供することである。
【００１６】
【課題を解決するための手段】
本発明のＰＣＭオーディオ信号再生装置は前記課題を解決するためになされたものであり、
第１の発明は、ＰＣＭデータを伝送するビットストリーム中の非圧縮ＰＣＭオーディオデータとＤＴＳ方式の圧縮ＰＣＭオーディオデータとを自動的に判別して信号処理回路で信号処理し、該信号処理により得られた再生オーディオ信号を出力するオーディオ再生装置において、前記ビットストリームのビットパターンを判定するビットパターン判定器と前記再生オーディオ信号をミュートするミュート回路とを備え、再生開始時は前記ミュート回路を作動させ、前記ビットパターン判定器が所定時間内に前記ビットストリームからＤＴＳ同期信号及びＤＴＳヘッダ信号を検出した場合は、前記信号処理の再生モードをＤＴＳモードにして前記ミュート回路のミュートを解除し、前記所定時間内に前記ビットストリームからＤＴＳ同期信号及びＤＴＳヘッダ信号を検出しなかった場合は、前記信号処理の再生モードをＰＣＭモードにして前記ミュート回路のミュートを解除するようにしたオーディオ信号再生装置である。
【００１７】
本発明によれば、ビットストリームが一般のＰＣＭ信号かＤＴＳ信号化を判定する場合に、ＤＴＳ同期信号とＤＴＳヘッダとを所定時間内に検出したときにＤＴＳ信号であると判定している。この判定方法では、ＤＴＳに係る同期信号やヘッダの検出回数を少なくしても誤判定を防止できるから前記判定に要する時間を少なくでき、再生開始時やディジタルオーディオ信号の方式変更時等において、ノイズの発生を抑制するために前記判定時間に相当する時間長のミュートを作動させても、前記ミュート作動のの時間を短かくできるから、音切れが生じ難くなる。
【００１８】
第２の発明は、第１の発明のＰＣＭオーディオ信号再生装置において、前記所定時間は、略、前記ＤＴＳ同期信号の１周期に相当する時間であるようにしたオーディオ信号再生装置である。
【００１９】
本発明によれば、ビットストリームが一般のＰＣＭ信号かＤＴＳ信号化を判定する場合に、略前記ＤＴＳ同期信号の１周期に相当する時間内にＤＴＳ同期信号とＤＴＳヘッダを検出したときにＤＴＳ信号であると判定している。この判定方法では、判定に要する判定時間を略前記ＤＴＳ同期信号の１周期に相当する時間以下にすることが出来る。従って、ノイズの発生を抑制するために前記判定時間に相当する時間長のミュートを作動させる場合に、前記ミュートの時間を短縮でき、音切れが生じ難くなる。
【００２０】
第３の発明は、第１の発明又は第２の発明のオーディオ信号再生装置において、前記ビットストリームは記録媒体から読み出し中のデータであり、再生モードをＰＣＭモードにして記録媒体から再生中に、前記ビットパターン判定器でＤＴＳ同期信号及びＤＴＳヘッダ信号を検出した時に、前記ミュート回路を作動させ、再生モードをＤＴＳモードへ切替えてから、前記ミュート回路のミュートを解除するようにしたオーディオ信号再生装置である。
【００２１】
本発明によれば、一般的なＰＣＭオーディオデータとＤＴＳデータとが記録されている記録媒体を再生する場合に、読み出したビットストリームが一般的なＰＣＭデータからＤＴＳデータに変化したときに生じるノイズや音切れを目立ち難くすることが出来る。
【００２２】
第４の発明は、第１の発明又は第２の発明のオーディオ信号再生装置において、前記ビットストリームは記録媒体から読み出し中のデータであり、再生モードをＤＴＳモードにして記録媒体から再生中にＤＴＳ同期信号及びＤＴＳヘッダ信号を検出しなくなった場合に、前記ビットパターン判定器でオーディオデータを検出していれば前記ミュート回路を作動させ、再生モードをＰＣＭモードへ切替えてから、ミュートを解除するようにしたオーディオ信号再生装置である。
【００２３】
本発明によれば、一般的なＰＣＭオーディオデータとＤＴＳデータとが記録されている記録媒体を再生する場合に、読み出したビットストリームがＤＴＳデータから一般的なＰＣＭデータに変化したときに生じるノイズや音切れを目立ち難くすることが出来る。
【００２４】
第５の発明は、第１の発明乃至第４の発明のいずれかのオーディオ信号再生装置において、前記ビットパターン判定器では、前記所定時間内のビットストリームに所定のビットパターンが含まれているか否かによりＤＴＳ同期信号とＤＴＳヘッダの有無を判定するようにしたオーディオ信号再生装置である。
【００２５】
本発明によれば、伝送されてきた符号列のパターンを予め定められたパターンと比較することにより、短時間でＤＴＳ同期信号やＤＴＳヘッダを検出することが出来る。
【００２６】
第６の発明は、第１の発明乃至第５の発明のオーディオ信号再生装置において、
前記ビットパターン判定器は、前記所定時間内にＤＴＳ同期信号とＤＴＳヘッダの内の一方のみを検出した場合に、前記所定時間内でＤＴＳ同期信号とＤＴＳヘッダの有無を再度判定するようにしたオーディオ信号再生装置である。
【００２７】
本発明によれば、ＤＴＳ信号でない信号に含まれるビットパターンによって非ＤＴＳ信号をＤＴＳ信号であると誤判定したり、ＤＴＳ信号を一般のＰＣＭ信号であると誤判定する確率を低くすることができる。
【００２８】
【発明の実施の形態】
本発明のＰＣＭオーディオ信号再生装置は、記録媒体から読み出された、或いは伝送されてきたビットストリームが、非圧縮ＰＣＭオーディオデータであるか、ＤＴＳ方式の圧縮ＰＣＭオーディオデータであるかを自動的に判別して信号処理回路で信号処理し、該信号処理により得られた多チャンネルの再生オーディオ信号を出力するオーディオ再生装置であって、再生開始時のデフォルト状態としてはミュート回路を作動させて出力を停止し、予め設定した所定時間内に前記ビットストリームからＤＴＳ同期信号及びＤＴＳヘッダ信号を検出した場合は、前記信号処理の再生モードをＤＴＳモードにして前記ミュートを解除し、前記所定時間内に前記ビットストリームからＤＴＳ同期信号及びＤＴＳヘッダ信号を検出しなかった場合は、前記信号処理の再生モードをＰＣＭモードにして前記ミュートを解除するようにしたものである。
【００２９】
以下、発明の実施の形態について図面を参照して説明する。本発明を適用できるＰＣＭオーディオ信号再生装置のブロック図は図６に示す一般的なＰＣＭオーディオ信号再生装置のブロック図と同じである。本発明は、図６（Ｂ）に示すレシーバだけで構成されるＰＣＭオーディオ信号再生装置に適用することも可能であり、或いは、図６（Ｂ）に示すレシーバと図６（Ａ）に示す読取装置とを含むＰＣＭオーディオ信号再生装置に適用することも出来る。
【００３０】
図６（Ｂ）の受信装置（レシーバ）において、ＭＰＵ２７は、ＤＩＲ１９から与えられた信号について復調オーディオ信号の有無を判断し、ｍｕｔｅ回路（ミュート回路）２３を作動させるか否かの判断に用いる。ＤＩＲ１９の出力がＰＣＭ信号であるときはＭＰＵ２７は再生モード信号としてＰＣＭモードを第２信号処理回路２１に与え、第２信号処理回路２１のＰＣＭ用ＤＳＰは入力されたＰＣＭデータをそのまま、又は音場効果を付加して再生オーディオ信号を出力する。
また、ＤＩＲ１９の出力がＤＴＳ信号であるときはＭＰＵ２７は再生モード信号としてＤＴＳモードを第２信号処理回路２１に与え、第２信号処理回路２１のＤＴＳ用ＤＳＰは入力されたＤＴＳ信号をＤＴＳデコード処理をして多チャンネルの再生オーディオ信号を出力する。
【００３１】
図５はＤＩＲ１９から出力されるＤＴＳ信号のデータ構造を示す図である。図５に示すように、ＤＩＲ１９で復調されたＤＴＳビットストリームは同サイズのオーディオフレームからなり、各オーディオフレームは固定長のＤＴＳ  Ｓｙｎｃ  Ｗｏｒｄ（以下、ＤＴＳ  Ｓｙｎｃ又はＤＴＳ同期信号とも記す）を有する。この同期信号は特定のビットパターンによって形成され、前記周期ＴｓはＣＤやＬＤでは約２３．２２ｍｓである。前記ＤＴＳ  Ｓｙｎｃの直後には、チャンネル数やサンプリング周波数などのＤＴＳの補助情報を伝送する固定長のＤＴＳＨｅａｄｅｒ（ＤＴＳヘッダ）がある。このＤＴＳ  Ｈｅａｄｅｒも特定のビットパターンによって形成されるが、該特定のビットパターンは１種類ではなく、予め定めた１種類以上のパターンである。
【００３２】
ビットパターン判定器２９はＤＩＲ１９から与えられたビットストリームから、予め定めた特定のパターンを検出する。そして、図５に示すＤＴＳオーディオフレームの周期Ｔｓ（２３．２２ｍｓ）に近い時間内に、前記ＤＴＳ  ＳｙｎｃとＤＴＳ  Ｈｅａｄｅｒの両方が検出されたときには、ＭＰＵ２７はＤＩＲ１９から出力されているビットストリームがＤＴＳ信号であると判定し、前記ＤＴＳＳｙｎｃとＤＴＳ  Ｈｅａｄｅｒの少なくとも一方が検出されなかったときには、ＭＰＵ２７はＤＩＲ１９から出力されているビットストリームが一般的なＰＣＭ信号であると判定する。基本的にＭＰＵ２７は、前記ビットストリームがＤＴＳ信号であると判定したときには再生モード信号をＤＴＳモードにし、一般的なＰＣＭ信号であると判定したときには再生モードをＰＣＭモードにする。
【００３３】
なお、前記ＤＴＳ周期ＴｓはＣＤやＬＤからのデータ読み出しの場合には前記した約２３．２２ｍｓｅｃであるが、ＤＶＤからのデータ読み出しでは、約１０．６７ｍｓｅｃとする。
第２信号処理回路２１ではＭＰＵ２７から与えられた再生モードに応じて、ＤＴＳ用ＤＳＰとＰＣＭ用ＤＳＰのいずれかが作動する。ＤＩＲ１９から出力されるＰＣＭデータがＤＴＳのＰＣＭデータであれば、第２信号処理回路２１はＤＴＳデコーダでＤＴＳ信号の復号をする。
【００３４】
図１はＣＤ等の光ディスクを再生開始するときの処理のフローチャートである。なお、以下に説明する各フローチャートにおいて、「ＤＴＳのＳｙｎｃとＨｅａｄｅｒの検出あり？」のステップが散在している（Ｓ４４，Ｓ５６、Ｓ７４、Ｓ８６，Ｓ９４）が、ＣＤやＬＤにおけるＤＴＳの記録方式では、ヘッダは、１０２４サンプルごとに入っており、その時間間隔は、サンプル周波数が４４．１ｋＨｚの場合、１０２４／４４１００で約２３．２２ｍｓｅｃとなり、ＤＴＳ同期信号及びＤＴＳヘッダの検出の有無を判別するのに最大約２４ｍｓｅｃ程度の判定時間を要することになる。また、ＤＶＤでは、サンプル周波数が４８ＫＨｚであり、ＤＴＳ同期信号及びＤＴＳヘッダ信号は５１２サンプルごとに入っており、ＤＴＳ同期信号及びＤＴＳヘッダ信号の周期は約１０．６７ｍｓｅｃとなる。したがって、ＤＶＤの場合にＤＴＳ同期信号及びＤＴＳヘッダ信号を検出してｄｔｓ信号の判別を行うのに最大で約１１ｍｓｅｃ程度を要する。
【００３５】
図１のフローチャートにおいて、ＰＣＭオーディオ信号再生装置でＰＣＭオーディオ信号の再生を開始する時には最初に、ｍｕｔｅ回路（ミュート回路）２３でミュートを作動し、再生モードをＰＣＭモードへ切替える（Ｓ４０）。そして、光ディスクから読み出されたＰＣＭデータ等のＰＣＭデータが入力されるのを待ち（Ｓ４１）、ＰＣＭデータが入力され次第、タイマを起動し（Ｓ４２）、２５ｍｓｅｃの経過を測定する（Ｓ４３）。この２５ｍｓｅｃは、ＤＴＳ同期信号及びＤＴＳヘッダ信号を１度読取るために必要な時間として設定されている。
【００３６】
前記２５ｍｓの間に、ＤＴＳ同期信号及びＤＴＳヘッダ信号の検出の有無を調べ（Ｓ４４）、ＤＴＳ同期信号及びＤＴＳヘッダ信号が検出された場合は、再生モードをＤＴＳモードへ切替えてから、ミュートを解除して（Ｓ４５）、ＤＴＳモードでの再生となる（Ｓ４６）。
これに対して、前記２５ｍｓの期間に、ＤＴＳ同期信号及びＤＴＳヘッダ信号が検出されない場合は、ｍｕｔｅ回路（ミュート回路）２３によるミュートを解除して（Ｓ４７）、ＰＣＭモードでの再生となる（Ｓ４８）。
【００３７】
図２はＰＣＭモードで再生中の処理のフローチャートである。ＰＣＭモードで再生中は、絶えず、ＤＴＳ同期信号及びＤＴＳヘッダ信号の検出の有無（Ｓ５６）と、ＰＣＭデータの入力の有無（Ｓ５７）とが調べられ続ける。ＤＴＳ同期信号及びＤＴＳヘッダ信号が検出されたときは、直ちにミュートを作動させ、再生モードをＤＴＳモードへ切替えてから、ミュートを解除し（Ｓ６６）、ＤＴＳモードでの再生となる（Ｓ４６）。ＤＴＳ同期信号及びＤＴＳヘッダ信号が検出されず、かつデータの入力もないときは、タイマを起動させ（Ｓ５８）、５ｓｅｃの経過を測定する（Ｓ５９）。
【００３８】
前記５ｓｅｃは、再生する光ディスクが別の光ディスクへ交換されるときに要する時間より僅かに短い時間として設定してある。すなわち、この５ｓｅｃの間に、データが入力されなければ、再生する光ディスクが別の光ディスクへ交換される可能性があると判断し、ミュートを作動させ（Ｓ６１）、交換後の光ディスクからのＰＣＭデータの入力待ちの状態となる（Ｓ６２）。この５ｓｅｃの間に、ＰＣＭデータが入力されれば、光ディスクの交換ではなく、再生する光ディスクは交換された可能性はないとして、Ｓ５６へ戻る（Ｓ６０）。
【００３９】
図３及び図４はＤＴＳモードで再生中の処理のフローチャートである。ＤＴＳモードで再生中、ＤＴＳ同期信号及びＤＴＳヘッダ信号の検出の有無（Ｓ７４）及びＰＣＭデータの入力の有無（Ｓ７５）が監視され続けられる。ＤＴＳ同期信号及びＤＴＳヘッダ信号が検出されず、かつＰＣＭデータの入力も無いと、タイマを起動し（Ｓ７６）、２５０ｍｓｅｃの経過を測定し（Ｓ７７）、この２５０ｍｓｅｃ以内のＰＣＭデータの入力の有無を調べる（Ｓ７８）。前記２５０ｍｓｅｃは、光ディスクにおける早送りや早戻しの操作のために、ＤＴＳ同期信号、ＤＴＳヘッダ信号、ＰＣＭデータの入力が途絶えている時間として設定されている。前記２５０ｍｓｅｃ以内にＰＣＭデータの入力が再開されれば（Ｓ７８）、早送りや早戻しの操作のために、ＤＴＳ同期信号やＤＴＳヘッダ信号やＰＣＭデータの入力が一時的に途絶えているものと判断して、Ｓ７４へ戻る。
【００４０】
これに対して、前記２５０ｍｓｅｃ以内にＰＣＭデータの入力が再開されなければ、ミュートを作動し、タイマを起動し（Ｓ７９）、新たに５ｓｅｃの経過を測定する（Ｓ８４）。この５ｓｅｃは、前記したＳ５９と同様に、再生する光ディスクが別の光ディスクへ交換されるときに要する時間より、僅かに短い時間として設定してある。前記５ｓｅｃの間、ＤＴＳ同期信号及びＤＴＳヘッダ信号の検出の有無（Ｓ８６）と、ＰＣＭデータの入力の有無（Ｓ８８）が調べられ、ＤＴＳ同期信号及びＤＴＳヘッダ信号の検出もＰＣＭデータの入力も無いと、再生する光ディスクが別の光ディスクへ交換される可能性があると判断して、再生モードをＰＣＭモードへ切替え（Ｓ８５）、交換後の光ディスクからのデータの入力待ちの状態となる（Ｓ６２）。
【００４１】
ステップＳ８６で、前記５ｓｅｃ以内に、ＤＴＳ同期信号及びＤＴＳヘッダ信号が検出されると、別の光ディスクへ交換された可能性はないとして、ミュートを解除し（Ｓ８７）、Ｓ７４へ戻る。またステップＳ８６で、前記５ｓｅｃ以内に、ＤＴＳ同期信号とＤＴＳヘッダ信号の少なくとも一方が検出されず、ＰＣＭデータの入力があると、検証が必要であるとして、Ｓ９２へ進む。
【００４２】
図４において、ステップＳ９２〜Ｓ９７の処理は、図１に示すステップＳ４２〜Ｓ４７の処理とほぼ同じであり、２５ｍｓｅｃ以内にＤＴＳ同期信号及びＤＴＳヘッダ信号の検出をしたか否かに応じて、入力中のＰＣＭデータがＰＣＭモードに係るものかＤＴＳモードに係るものかを判別し、対応モードへ合わせている。すなわち、ステップＳ９２では、タイマを起動し、２５ｍｓｅｃの経過を測定する（Ｓ９３）。この２５ｍｓｅｃは、ステップＳ４３の２５ｍｓｅｃと同じ趣旨で設定されている。２５ｍｓｅｃの間におけるＤＴＳ同期信号及びＤＴＳヘッダ信号の検出の有無を検出し（Ｓ９４）、検出されれば、ミュートを解除して（Ｓ９５）、Ｓ７４へ進み、検出されなければ、再生モードをＰＣＭモードへ切替えて（Ｓ９６）、ミュートを解除し（Ｓ９７）、ＰＣＭモードでの再生となる（Ｓ４８）。
【００４３】
なお、前記した各フローチャートにおいて、「ＤＴＳのＳｙｎｃとＨｅａｄｅｒの検出あり？」のステップ（Ｓ４４，Ｓ５６、Ｓ７４、Ｓ８６，Ｓ９４）では、
ＤＴＳ同期信号の１周期に相当する時間以内にＤＴＳ同期信号及びＤＴＳヘッダの検出があった場合に、そのビットストリームはＤＴＳ信号であると判定している。しかし、ＤＴＳ同期信号かＤＴＳヘッダの一方だけが検出される場合もある。その場合は、ＰＣＭデータである可能性が高いが、念のために、タイマの時間をリセットして、ＤＴＳ同期信号の１周期に相当する時間以内にＤＴＳ同期信号及びＤＴＳヘッダの検出を再度行い、両方が検出された場合には、ＤＴＳ信号であると判定するようにしても良い。
【００４４】
以上詳細に説明した如く、ビットストリームが一般のＰＣＭ信号かＤＴＳ信号化を判定する場合に、従来のＰＣＭオーディオ信号再生装置では、ＤＴＳヘッダを連続して２回検出したときにＤＴＳ信号であると判定していた。このため、例えばＣＤに記録されたＤＴＳ信号では最小約２４ｍｓｅｃから最大約４８ｍｓｅｃの判定時間が必要で、再生開始時やディジタルオーディオ信号の方式変更時等において、前記判定時間に相当するミュートにより音切れが生じていた。また、前記ミュート時間を短縮すべく判定時間を短縮するとノイズが出易いという問題があった。
これに対し、本発明のＰＣＭオーディオ信号再生装置によれば、ＤＴＳヘッダの検出回数を少なくしても誤判定を防止できるから、ＤＴＳ同期信号とＤＴＳヘッダを１回検出したときにＤＴＳ信号であると判定することができる。このため、例えばＣＤに記録されたＤＴＳ信号では最大約２４ｍｓｅｃの判定時間で前記判定が出来、ミュートを作動させる時間を短く出来るから、音切れが生じ難く、ノイズが出難いという効果を奏する。
【図面の簡単な説明】
【図１】ＣＤ等の光ディスクを再生開始するときの処理のフローチャートである。
【図２】ＰＣＭモードで再生中の処理のフローチャートである。
【図３】ＤＴＳモードで再生中の処理のフローチャートの第１の部分である。
【図４】ＤＴＳモードで再生中の処理のフローチャートの第２の部分である。
【図５】ＤＩＲ１９から出力されるＤＴＳ信号のデータ構造を示す図である。
【図６】一般的なＰＣＭオーディオ信号再生装置のブロック図を示す図である。
【符号の説明】
１１    光学ヘッド
１３    第１信号処理回路
１５    ＤＩＴ（ディジタルインターフェーストランスミッタ）
１９    ＤＩＲ（ディジタルインターフェースレシーバ）
２１    第２信号処理回路（信号処理回路）
２３    ｍｕｔｅ回路（ミュート回路）
２５    ＤＡＣ（Ｄ／Ａ変換器）
２７    ＭＰＵ（マイクロプロセッサ）
２９    ビットパターン判定器
【図１】
0004119083.tif 000002
【図２】
0004119083.tif 000003
【図３】
0004119083.tif 000004
【図４】
0004119083.tif 000005
【図５】
0004119083.tif 000006
【図６】
0004119083.tif 000007